(57)【要約】【課題】  メガネフレームのツルを連結する継手構造であって、新聞、雑誌を読む際にフロント部の傾斜角度を調整できるようにしたツル継手構造の提供。【解決手段】  ヨロイ５の先端に設けて上下方向の軸を有す継手には連結部１０が折畳み出来るように連結し、そして連結部１０の先端には水平方向に設けた軸ネジ９を介してツル２を連結し、又連結部先端からツル側へアーム１１を延ばし、アーム先端には複数の係合溝１２ａ，１２ｂを形成し、ツル側には係合片１３を取付けて上記係合溝１２ａ，１２ｂにはバネ力を付勢した係合片１３を係合している。【選択図】    図２
2008107396.tif 000002
【特許請求の範囲】
【請求項１】
メガネフレームのツルを連結する継手構造において、ヨロイの先端に設けて上下方向の軸を有す継手には連結部が折畳み出来るように連結し、そして連結部の先端には水平方向に設けた軸ネジを介してツルを連結し、又連結部先端からツル側へアームを延ばし、アーム先端には複数の係合溝を形成し、ツル側には係合片を取付けて上記係合溝にはバネ力を付勢した係合片を係合したことを特徴とするメガネフレームのツル継手構造。
【請求項２】
メガネフレームのツルを連結する継手構造において、ヨロイの先端に設けて上下方向の軸を有す継手には連結部が折畳み出来るように連結し、そして連結部の先端には水平方向に設けた軸ネジを介してツルを連結し、又ツルから連結部側へアームを延ばし、アーム先端には複数の係合溝を形成し、連結部側には係合片を取付けて上記係合溝にはバネ力を付勢した係合片を係合したことを特徴とするメガネフレームのツル継手構造。
【請求項３】
上記係合片には軸を連結し、軸をコイルバネのコイル穴に嵌めると共にコイルバネのバネ力を上記係合片に付勢した請求項１、又は請求項２記載のメガネフレームのツル継手構造。
【発明の詳細な説明】
【技術分野】
【０００１】
本発明はツルが折畳まれる普通の継手の他に、フロント部の傾斜を調整することが出来る角度調整部を備えたツル継手構造に関するものである。
【背景技術】
【０００２】
メガネフレームはフロント部の両側にツルが取付けられ、該ツルは折畳み出来るように継手構造を備えている。該継手構造には色々あるが、一般的には蝶番継手が用いられており、メガネを外すときにはツルは折畳まれる。そして、メガネを掛ける場合には、ツルを開いて先端に挿着したモダンを耳に係止することが出来る。
【０００３】
ところで、両ツルはフロント部の両側から後方へ延びているが、フロント部が置かれる面に対して垂直方向ではなく、多少傾斜している。図５はフロント部（イ）とツル（ロ）の関係を示している側面図であるが、このようにフロント部（イ）とツル（ロ）の交差角θは９０°より多少小さく成っている。これは、毎日の生活において人の視線は水平より僅かに下方を向いている為であり、この視線の角度に合わされる。
【０００４】
ところが、人が新聞や雑誌を読む場合には、視線がさらに下方を向くことから、フロント部（イ）が通常支えられる傾斜では見づらい場合が多い。そこで、老眼鏡を掛ける必要がある年寄りは、新聞・雑誌を読む場合にツル先端の耳掛け部(モダン)の位置を上げることでフロント部の傾斜角を大きくなって見やすくしている。特に、遠近両用レンズを装着しているメガネを掛けている場合には、その効果が大きい。
【発明の開示】
【発明が解決しようとする課題】
【０００５】
このように、老眼鏡(特に遠近両用レンズを装着したメガネ)を掛けて新聞や雑誌を読む場合には上記のごとき問題がある。本発明が解決しようとする課題はこの問題点であり、耳に係止するツル先端部のモダンの位置を上方へズラスことなくフロント部の傾斜角度の調整が出来るツル継手構造を提供する。
【課題を解決するための手段】
【０００６】
本発明に係るメガネフレームのツル継手構造は、ツルを折畳むことが出来る継手とフロント部の傾斜角度を調整する為の継手を有している。ツル折畳み用の継手は従来と同じく蝶番を使用する場合もあれば、他の継手構造とする場合もあり、特に限定するものではない。しかし、ツル折畳み用の継手の軸は上下方向であるのに対して、フロント部の傾斜角調整用の継手軸は水平方向としている。
【０００７】
ところで、フロント部の傾斜角度調整用継手としては軸ネジが用いられ、ヨロイ先端の継手には連結部が折畳み出来るように取付けられ、この連結部先端にツルが連結している。そして何れか一方側の部材(連結部又はツル)からアームを延ばすと共にアーム先端には複数の係合溝を上下方向に設けている。又、他方の部材には係合片を取付け、該係合片にはバネ力が付勢されて上記アームの係合溝に係合する。
【０００８】
従って、傾斜角度調整用継手を介してフロント側の連結部は回動して向きが変わり、フロント部の傾斜角の調整が出来る。しかし、上記アームの先端に形成した係合溝には係合片の先端が係合することでフロント部の傾斜角度は一定に定まる。しかも、係合溝にはバネ力を付勢した状態で係合する為に、フロント部はガタ付くことなく安定する。
【発明の効果】
【０００９】
本発明の継手構造をメガネフレームに採用することで、ツルに対するフロント部の傾斜角度を自由に調整することが出来る。すなわち、遠方を見るときには通常の傾斜角度とし、新聞や雑誌を読むときにはフロント部を僅かに倒すことが出来、レンズの軸線を視線に出来るだけ近づけることが可能となる。そして、アーム先端には複数の係合溝を形成することで、フロント部を所定の傾斜角度に調整出来、しかも係合溝には係合片の先端がバネ力を付勢した状態で係合するために、フロント部は安定する。
【実施例】
【００１０】
図１は本発明に係る継手構造を採用したメガネフレームを表している外観図である。同図の１はフロント部、２，２はツルを表して、フロント部１は両リム３，３と連結部材４、及びヨロイ５，５を有し、レンズ６，６が嵌るリム３，３は連結部材４にて連結され、そしてヨロイ５，５はリム３，３の外側にロウ付けされている。又、リム３，３の内側(フロント部中央部)には鼻当てパット７，７が取付けられている。
【００１１】
ところで、ヨロイ５，５にはツル２，２が取付けられているが、該ツル２，２が折畳み出来るように継手８，８を介して連結している。そして、ツル２，２には軸ネジ９，９が設けられ、該軸ネジ９，９を中心としてフロント部１は上下動して、その傾きを変えることが出来る。ここで、ツル２，２が折畳まれる上記継手８，８の軸ネジは上下方向とし、フロント部１の傾きを変える軸ネジ９，９は水平方向と成っている。
【００１２】
図２は本発明の継手構造を表している実施例であり、(ａ)は平面図、(ｂ)は遠方を見る場合のフロント部の傾斜角とした継手構造、(ｃ)は新聞、雑誌を読む際のフロント部の傾斜角とした継手構造を示している。ツル２にはヨロイ側にフロント部側部材としての連結部１０が設けられ、ヨロイ５とは継手８を介して連結部１０が連結され、この連結部１０に軸ネジ９を介してツル２が連結している。
【００１３】
この連結部１０はツル２の一部であり、ツル２が折畳まれる際には連結部１０もツル２と共に折畳まれる。そして、ツル２は連結部１０に対して垂直面内で上下方向に旋回してその向きを変えることが出来る。このように、軸ネジ９を中心としてツル２は旋回できるが、所定の向きで停止することが出来る継手構造と成っている。すなわち、定めたフロント部１の傾斜角が動かないようにロックされる。
【００１４】
連結部１０からアーム１１を延ばし、該アーム１１の先端には係合溝１２ａ，１２ｂを形成している。ツル２には上記アーム１１を挟む表面部１５と内面部１６を設け、軸ネジ９はアーム１１の基部、及び表面部１５と内面部１６の先端部に設けられている。従って、ツル２に対して連結部１０及びヨロイ５は旋回して上下方向の向きを変えることが出来る。勿論、ヨロイ５に取着されているフロント部１の向きが変わる。
【００１５】
そしてアーム先端に形成した係合溝１２ａ，１２ｂには係合片１３が係合している。係合片１３には後方へ軸１４を延ばし、該軸１４はコイルバネ１７のコイル穴に嵌って組み合わされ、ツル２に設けた軸穴１８に収容されている。コイルバネ１７のバネ力は上記係合片１３に作用し、係合片１３が係合溝１２ａ又は１２ｂに係合している。
【００１６】
図３はツル２と連結部１０を分離した場合を表している。ツル２に設けた表面部１５と内面部１６の間に形成した空間１９にアーム１１が嵌り、空間１９の底には上記軸穴１８が設けられている。図４はこの軸穴１８に嵌るコイルバネ１７と軸付き係合片１３であり、係合片１３はコイルバネ１７に押されて軸穴１８から一部突出し、空間１９の底付近に位置しているアーム１１の先端係合溝１２ａ，１２ｂに係合することが出来る。
【００１７】
図２(ｂ)は遠方を見る場合であり、係合片１３は係合溝１２ａに係合している。そして、図２(ｃ)は新聞や雑誌を読む場合であり、係合片１３は係合溝１２ｂに係合している。新聞、雑誌を読む際にはメガネを掛けた状態で、ツル２に対して連結部１０及びヨロイ５を屈曲してフロント部１の傾斜角を変えることが出来る。係合溝１２ａ，１２ｂの深さはｍとし、係合片１３が係合溝１２ａから係合溝１２ｂに移動するためには、係合片１３が深さｍに相当する距離だけ一旦後退する。
【００１８】
係合溝１２ｂに嵌った係合片１３はフロント部１を安定して保持することが出来る。ここで、係合溝１２ａ，１２ｂの深さｍが小さいと、フロント部１の傾斜角度が安定しないが、逆に大きすぎるとフロント部１の傾斜角度の調整に無理がかかる。
【００１９】
図２に示した実施例は、連結部１０からアーム１１を延ばし、ツル２に係合片１３及びコイルバネ１７を設けているが、逆にツル側からアームを延ばすと共に連結部側に係合片及びコイルバネを設けることも可能である。又、係合片とコイルバネを別部品として構成しているが、板バネに係合片を一体成形することも可能である。
【図面の簡単な説明】
【００２０】
【図１】本発明に係る継手部構造を備えたメガネフレーム。
【図２】本発明に係る継手部構造を示す実施例。
【図３】継手部を構成するツルと連結部。
【図４】継手部を構成する係合片とコイルバネ。
【図５】フロント部とツルの位置関係。
【符号の説明】
【００２１】
１  フロント部
２  ツル
３  継手
４  連結部材
５  ヨロイ
６  レンズ
７  鼻当てパット
８  継手
９  軸ネジ
10  連結部
11  アーム
12  係合溝
13  係合片
14  軸
15  表面部
16  内面部
17  コイルバネ
18  軸穴
19  空間
【図１】
2008107396.tif 000003
【図２】
2008107396.tif 000004
【図３】
2008107396.tif 000005
【図４】
2008107396.tif 000006
【図５】
2008107396.tif 000007